(57)【要約】【課題】  内部機器の保護機能を低下させることなく、筺体に既設の装備品を利用して、空中線を見栄えよく簡易に組み込む。【解決手段】  キュービクル１は金属製の筺体２を備え、筐体２の内側に無線送受信ユニットを設置し、電気機器の動作情報を外部ユニットと通信する。筐体２の前面扉６に標準装備品としての透視窓組立体９と把手組立体１０とを筐体２の外面に露出するように設ける。透視窓組立体９は、前面扉６の開口部を覆う窓ガラス１２と、窓ガラス１２を前面扉６に保持する窓枠１３とを備える。窓枠１３を非導電性材料で成形し、その長手方向溝に空中線１６を組み込み、通信線で無線送受信ユニットに接続する。把手組立体１０に非導電性材料からなるホルダを装着し、ホルダに空中線を組み込んでもよい。【選択図】        図１
2013207648.tif 000002
【特許請求の範囲】
【請求項１】
電気機器を収納する金属製の筺体の内側に無線送受信ユニットを設置し、筺体の外面に露出する装備品に非導電性部材を取り付け、非導電性部材に筺体外部からの電波を前記送受信ユニットに中継する空中線を組み込んだことを特徴とするキュービクル。
【請求項２】
前記装備品が筺体の前面扉に装備された窓ガラスを含み、窓ガラスを非導電性材料からなる窓枠で前面扉に保持し、窓枠に前記空中線を組み込んだ請求項１記載のキュービクル。
【請求項３】
前記装備品が筺体の前面扉に装備された把手を含み、把手に導電性材料からなるホルダを設け、ホルダに前記空中線を組み込んだ請求項１記載のキュービクル。
【発明の詳細な説明】
【技術分野】
【０００１】
本発明は、筺体内に収納された電気機器の動作情報を外部と通信する機能を備えたキュービクルに関する。
【背景技術】
【０００２】
従来、電気機器の動作情報を無線で外部と通信するために、無線送受信ユニットを筺体の内側に設置したキュービクルが知られている。この種のキュービクルは、内部機器を保護するために筺体が金属板で形成されているため、電波が筺体により遮蔽され、通信に支障を来たすことがある。そこで、電波を中継する空中線を筺体の外部に設けたキュービクルが提案されている。
【０００３】
例えば、特許文献１には、図７に示すようなキュービクル５１において、筺体５２の内部に無線装置（図示略）を設置し、筺体５２の外部に支持柱一体型空中線５３を立設し、空中線５３の通信線（フィーダ線）を筺体５２の通線口（図示略）に通して無線装置に接続する技術が記載されている。
【先行技術文献】
【特許文献】
【０００４】
【特許文献１】特開平０８−３１６７１３号公報
【発明の概要】
【発明が解決しようとする課題】
【０００５】
ところが、従来のキュービクル５１によると、既設の受電または送電設備に通信機能を追加する場合に、通線口を筺体５２に追加加工する必要があり、筺体５２の剛性が低下し、内部機器の保護機能に悪影響を及ぼすという問題点があった。また、筺体５２の外部に長大な空中線５３が露出するため、キュービクル５１の外観の見栄えが悪くなるという不都合もあった。
【０００６】
そこで、本発明の目的は、内部機器の保護機能を低下させることなく、筺体に既設の装備品を利用して、空中線を見栄えよく簡易に組み込むことができるキュービクルを提供することにある。
【課題を解決するための手段】
【０００７】
上記課題を解決するために、本発明は次のようなキュービクルを提供する。
（１）電気機器を収納する金属製の筺体の内側に無線送受信ユニットを設置し、筺体の外面に露出する装備品に非導電性部材を取り付け、非導電性部材に筺体外部からの電波を前記送受信ユニットに中継する空中線を組み込んだことを特徴とするキュービクル。
【０００８】
（２）装備品が筺体の前面扉に装備された窓ガラスを含み、窓ガラスを非導電性材料からなる窓枠で前面扉に保持し、窓枠に空中線を組み込んだことを特徴とするキュービクル。
【０００９】
（３）装備品が筺体の前面扉に装備された把手を含み、把手に導電性材料からなるホルダを装着し、ホルダに空中線を組み込んだことを特徴とするキュービクル。
【発明の効果】
【００１０】
本発明のキュービクルによれば、筺体の外面に露出する装備品に非導電性部材を介して空中線を組み込んだので、金属による電波障害を抑えることができるとともに、筺体に既設の装備品を利用することで、別途の穴加工を不要にでき、内部機器の保護機能を低下させることなく、空中線を見栄えよく簡易に装備できるという効果がある。
【図面の簡単な説明】
【００１１】
【図１】本発明の実施例１を示すキュービクルの斜視図である。
【図２】通信形態を示す図１のキュービクルの側面図である。
【図３】空中線の取付構造を示す図２のＡ部拡大断面図である。
【図４】本発明の実施例２を示すキュービクルの斜視図である。
【図５】通信形態を示す図４のキュービクルの側面図である。
【図６】空中線の取付構造を示す図５のＢ部拡大断面図である。
【図７】従来のキュービクルを示す斜視図である。
【発明を実施するための形態】
【００１２】
以下、本発明の実施形態を図面に基づいて説明する。図１〜図３は、空中線１６が前面扉６の透視窓組立体９に装備された実施例１のキュービクル１を示す。図４〜図６は、空中線１６が前面扉６の把手組立体１０に装備された実施例２のキュービクル２１を示す。各図において、同一の符号は同一または類似する部材を示す。
【実施例１】
【００１３】
図１、図２に示すように、実施例１のキュービクル１は金属製の筺体２を備えている。筺体２は本体部３とルーフ部４とベース部５とからなり、本体部３の内側に形成された機器収納室３ａに受電または送電用の各種電気機器（図示略）と、電気機器の動作情報を外部ユニット７と通信する無線送受信ユニット８とが収納されている。本体部３の前面には扉６が設けられ、この前面扉６にキュービクル１の標準装備品である透視窓組立体９と把手組立体１０とがそれぞれ筐体２の外面に露出するように装備されている。
【００１４】
図３に示すように、透視窓組立体９は、前面扉６の開口部６ａを覆う窓ガラス１２と、窓ガラス１２を前面扉６に保持する窓枠１３と、窓枠１３との間に窓ガラス１１を挟持する押え金具１４とで構成されている。窓枠１３はゴム等の非導電性材料で押出成形され、その長手方向溝１５に空中線１６が組み込まれている。そして、空中線１６が通信線１７によって無線送受信ユニット８に接続され、空中線１６によって電波が送受信ユニット８と外部ユニット７との間で中継される。
【実施例２】
【００１５】
図４、図５、図６に示すように、実施例２のキュービクル２１においては、把手組立体１０に前面扉６を開閉する把手２２と、空中線１６を保持するホルダ２３とが設けられている。把手２２は金属材料で形成され、筺体２の外面に露出する状態で前面扉６に取り付けられている。ホルダ２３はゴムや合成樹脂等の非導電性材料で成形され、把手２２の周囲に装着されている。そして、空中線１６がホルダ２３の凹所２４（図６参照）に組み込まれ、通信線１７によって無線送受信ユニット８に接続されている。
【００１６】
この実施形態のキュービクル１，２１によれば、次のような作用効果が得られる。
（ａ）無線送受信ユニット８と空中線１６とを分離して設けたので、空中線１６を小型に製作して、透視窓組立体９または把手組立体１０にコンパクトに組み込むことができる。
（ｂ）無線送受信ユニット８を筺体本体部３の内側に設置し、該ユニット８に電気機器の動作情報を容易に提供できるとともに、電源を安定的に供給できる。
【００１７】
（ｃ）空中線１６を透視窓組立体９の窓枠１３または把手組立体１０のホルダ２３に組み込んだので、従来と比較し、キュービクル１，２１の外観上の見栄えが向上する。
（ｄ）窓枠１３およびホルダ２３が非導電性材料で成形されているため、金属による電波障害を抑え、無線ユニット７，８同士の交信を支障なく行うことができる。
（ｅ）透視窓組立体９、把手組立体１０のどちらも標準装備品であるため、無線通信機能の追加にあたり、キュービクル１に既設の装備品を利用でき、筺体２に追加の穴を明ける必要がなく、筺体２の剛性を維持し、内部機器を安全に保護できる。
【００１８】
（ｆ）空中線１６を透視窓組立体９に設けた実施例１の場合は、特に、外部ユニット７を窓枠１３の直前で操作し（図２参照）、近距離の無線通信によって情報伝達を正確に実施できるという利点がある。
（ｇ）空中線１６を把手組立体１０に設けた実施例２の場合は、特に、前面扉６に既設の把手２２にホルダ２３を簡単に後付けでき、既存キュービクル１に新規機能を容易に追加できるという利点がある。
【００１９】
なお、上記実施例１，２では、空中線１６が筐体２の前面扉６に設けられているが、筐体２の背面、左側面、右側面にも透視窓組立体９が装備されているキュービクル１の場合は、筺体２の複数面に空中線１６を配設することで、電波の送受信方位を増やし、外部ユニット７の不感知領域を低減することができる。その他、本発明は上記実施形態に限定されるものではなく、発明の趣旨を逸脱しない範囲で、各部の構成を適宜に変更して実施することも可能である。
【符号の説明】
【００２０】
１，２１    キュービクル
２    筺体
６    前面扉
７    外部ユニット
８    無線送受信ユニット
９    透視窓組立体
１０    把手組立体
１２    窓ガラス
１３    窓枠
１６    空中線
１７    通信線
２２    把手
２３    ホルダ
【図１】
2013207648.tif 000003
【図２】
2013207648.tif 000004
【図３】
2013207648.tif 000005
【図４】
2013207648.tif 000006
【図５】
2013207648.tif 000007
【図６】
2013207648.tif 000008
【図７】
2013207648.tif 000009